(57)【要約】【課題】メダル受け皿から収容箱へのメダルの移し替えを行う構成を簡易にした遊技機を提供する。【解決手段】遊技機１０は本体１１の下部前面に設けられたメダル受け皿１７を備える。メダル受け皿１７はメダルが払い出される本体１１の払出口１２と対向する前壁１３、前壁１３の両翼に略直交する一対の側壁１４・１５及び前壁１３と一対の側壁１４・１５で囲われる底壁１６とから構成され、前記払出口１２から払い出されるメダルを受け入れて貯える。メダル受け皿１７は、前記前壁１３の端縁から底壁１６に向かって一定の深さと所定幅をもって切り欠かれる第１凹部１８と、前壁１３の長手方向にスライドし、第１凹部１８を開閉するスライド板と１９、を備える。【選択図】図３
2008079928.tif 000002
【特許請求の範囲】
【請求項１】
本体の下部前面に設けられ、メダルが払い出される払出口と対向する前壁、この前壁の両翼に略直交する一対の側壁、及び前記前壁と前記一対の側壁で囲われる底壁とから構成され、前記払出口から払い出されるメダルを受け入れて貯えるメダル受け皿を備える遊技機であって、
前記メダル受け皿は、前記前壁の端縁から前記底壁に向かって一定の深さと所定幅をもって切り欠かれる第１凹部と、前記前壁の長手方向にスライドし、前記第１凹部を開閉するスライド板と、を備える遊技機。
【請求項２】
前記第１凹部は、前記メダル受け皿からメダルを移し替える収容箱の開口幅より狭い幅で切り欠かれている請求項１記載の遊技機。
【請求項３】
前記第１凹部は、前記前壁の略中央部に切り欠かれている請求項１又は２記載の遊技機。
【請求項４】
本体の下部前面に設けられ、メダルが払い出される払出口と対向する前壁、この前壁の両翼に略直交する一対の側壁、及び前記前壁と前記一対の側壁で囲われる底壁とから構成され、前記払出口から払い出されるメダルを受け入れて貯えるメダル受け皿を備える遊技機であって、
前記メダル受け皿は、一方の前記側壁と前記前壁の片翼とが略直交する隅部を有し、当該隅部の端縁から前記底壁に向かって一定の深さと一方の前記側壁及び前記前壁の片翼に跨って所定幅をもって切り欠かれる第２凹部を備える遊技機。
【請求項５】
前記第２凹部は、前記前壁の略半分の深さに切り欠かれる請求項４記載の遊技機。
【発明の詳細な説明】
【技術分野】
【０００１】
本発明は、スロットマシンなどの遊技機に関する。特に、遊技機の下方に配置され、払い出されるメダルを受け入れるメダル受け皿の構造に関する。
【背景技術】
【０００２】
一般に、スロットマシンは、本体の下部前面にメダル受け皿を配置している。メダル受け皿は、メダルの払出口から払い出されるメダルを受け入れて一定量、貯える容量を有している。そして、遊技者は、メダルがメダル受け皿から溢れ出ない内に、メダルを掻き寄せて別の収容箱に移し替えている。この場合、一方の手で収容箱を把持しながら、他方の手でメダル受け皿内のメダルをメダル受け皿の前壁を越えて収容箱に掻き出して移し替えている。
【０００３】
このようなメダルの移し替え作業では、メダルがメダル受け皿の前壁を越えて、収容箱に収容されることなく、床に散乱してしまうことが多々あった。一般に、メダル受け皿の前壁の全長は収容箱の横幅より広く、メダル受け皿に分散するメダルを収容箱に収容することは容易ではなかった。このようなメダルの移し替え作業に対して、メダルをメダル受け皿から収容箱に移し替え容易な遊技機が発明されている（例えば、特許文献１参照）。
【０００４】
特許文献１による遊技機は、図柄が描かれた回転可能な複数の回胴リールと、回胴リールの回転によって図柄が揃ったとき本体から排出されたメダルを受け入れるメダル受け皿とを備えている。メダル受け皿は、底壁、両側壁及び前壁を備えている。前壁には、メダルが排出される排出部が形成され、この排出部を昇降可能に開閉する開閉板が設けられている。又、メダル受け皿は、開閉板を上方に付勢する板ばねを備え、収容箱が掛止される一対の突片を開閉板に設けている。そして、開閉板は、一対の突片に収容箱が掛止された状態で板ばねに抗して下降し排出部を開口する。
【０００５】
特許文献１による遊技機は、メダル受け皿の前壁の排出部からメダルをメダル収容箱に掻き出すことができるので、メダルの移し替えが容易になって、速やかにメダルを移し替えることができる、としている。
【特許文献１】特開２００５−２１１１５６号公報
【発明の開示】
【発明が解決しようとする課題】
【０００６】
特許文献１による遊技機に用いられるメダル受け皿は、一対の突片に収容箱を掛止できるので、遊技者がメダル収容箱を不用意に床に落とすことを防止できる、という利点がある。しかし、特許文献１による遊技機は、収容箱がメダル受け皿に掛止される必要があるため、収容箱が特定されるという問題がある。特許文献１による遊技機を新たに導入した場合は、それまでの収容箱を全て交換するという事態も想定される。メダル受け皿の構造は、収容箱の形状が特定されないことが好ましい。
【０００７】
又、特許文献１によるメダル受け皿は、構成を複雑にしている。簡易な構成であり、メダルをメダル受け皿から収容箱に移し替え容易なメダル受け皿が望まれる。そして、以上のことが、本発明の課題といってよい。
【０００８】
本発明は、このような問題に鑑みてなされたものであり、本体の下部前面に配置されるメダル受け皿を備える遊技機であって、簡易な構成であり、メダルをメダル受け皿から収容箱に移し替え容易なメダル受け皿を備える遊技機を提供することを目的とする。
【課題を解決するための手段】
【０００９】
本発明者は、上記目的を達成するため、箱形に形成されるメダル受け皿の前壁に段差を設けることにより、メダルをメダル受け皿から収容箱に移し替え容易なことを見出し、これに基づいて、以下のような新たなメダル受け皿を備える遊技機を発明するに至った。
【００１０】
（１）  本体の下部前面に設けられ、メダルが払い出される払出口と対向する前壁、この前壁の両翼に略直交する一対の側壁、及び前記前壁と前記一対の側壁で囲われる底壁とから構成され、前記払出口から払い出されるメダルを受け入れて貯えるメダル受け皿を備える遊技機であって、前記メダル受け皿は、前記前壁の端縁から前記底壁に向かって一定の深さと所定幅をもって切り欠かれる第１凹部と、前記前壁の長手方向にスライドし、前記第１凹部を開閉するスライド板と、を備える遊技機。
【００１１】
（１）の発明による遊技機は、本体の下部前面に設けられるメダル受け皿を備えている。メダル受け皿は、前壁と一対の側壁と底壁とで構成されている。前壁は、メダルが払い出される払出口と対向している。一対の側壁は、前壁の両翼に略直交している。底壁は、前壁と一対の側壁で囲われている。そして、メダル受け皿は、払出口から払い出されるメダルを受け入れて貯える。又、メダル受け皿は、第１凹部とスライド板を備えている。第１凹部は、前壁の端縁から底壁に向かって一定の深さと所定幅をもって切り欠かれている。スライド板は、前壁の長手方向にスライドし、第１凹部を開閉する。
【００１２】
前壁に切り欠かれる第１凹部の深さとしては、底壁に達する程度でもよく、前壁の略半分程度でもよい。第１凹部の幅としてはメダルの径よりも十分に大きい必要がある。
【００１３】
メダル受け皿としては、軽金属などの金属や金属にメッキ膜や樹脂膜などの皮膜を形成した材料を使用できる。メダル受け皿は合成樹脂で一体に成形してもよい。メダル受け皿は本体と一体に成形してもよいが、本体と別個に成形し、ねじなどの締結具によって本体の下部前面に着脱自在に取り付けてもよい。スライド板の材料としては、メダル受け皿と同じ材料を使用することが好ましい。スライド板は前壁の内面（払出口に対向した面）に沿ってスライドするように配置することが好ましい。
【００１４】
（１）の発明による遊技機は、スライド板を一方の方向にスライドすると、第１凹部が閉じられる。第１凹部がスライド板で閉じられた状態では、メダル受け皿は、メダルの払出口から払い出されるメダルを受け入れて一定量、貯えることができる。
【００１５】
スライド板を他方の方向にスライドすると、第１凹部が開かれる。第１凹部が開かれた状態では、一定の深さと所定幅をもって切り欠かれる第１凹部が前壁に現出するといってもよく、メダル受け皿に分散するメダルが第１凹部を介して収容箱に収容できる。第１凹部の両翼の前壁に阻止されて、複数のメダルが第１凹部に流入し易くなるからである。
【００１６】
（１）の発明による遊技機は、メダルの移し替え作業において、メダルがメダル受け皿の前壁を越えて、収容箱に収容されることなく、床に散乱することを防止することができる。又、（１）の発明による遊技機は、メダル受け皿が第１凹部とスライド板からなる簡易な構成であり、従来のように収容箱が特定されないという効果がある。
【００１７】
（２）  前記第１凹部は、前記メダル受け皿からメダルを移し替える収容箱の開口幅より狭い幅で切り欠かれている（１）記載の遊技機。
【００１８】
（２）の発明による遊技機は、第１凹部が、メダル受け皿からメダルを移し替える収容箱の開口幅より狭い幅で切り欠かれているので、収容箱にメダルを確実に移し替えることができる。
【００１９】
（３）  前記第１凹部は、前記前壁の略中央部に切り欠かれている（１）又は（２）記載の遊技機。
【００２０】
通常、メダルはメダル受け皿の中央部に山積みされ、周辺に向かってなだらかに分散される。第１凹部を前壁の略中央部に切り欠くことにより、大量のメダルを迅速に収容箱に移し変えることができる。
【００２１】
（４）  本体の下部前面に設けられ、メダルが払い出される払出口と対向する前壁、この前壁の両翼に略直交する一対の側壁、及び前記前壁と前記一対の側壁で囲われる底壁とから構成され、前記払出口から払い出されるメダルを受け入れて貯えるメダル受け皿を備える遊技機であって、前記メダル受け皿は、一方の前記側壁と前記前壁の片翼とが略直交する隅部を有し、当該隅部の端縁から前記底壁に向かって一定の深さと一方の前記側壁及び前記前壁の片翼に跨って所定幅をもって切り欠かれる第２凹部を備える遊技機。
【００２２】
（４）の発明による遊技機は、メダル受け皿の一方の隅部に第２凹部が切り欠かれているので、メダルの移し替え作業において、メダルがメダル受け皿の前壁を越えて収容箱に収容する必要がなく、床に散乱することを防止することができる。又、（４）の発明による遊技機は、メダル受け皿に第２凹部を設ける更に簡易な構成であり、従来のように収容箱が特定されないという効果がある。
【００２３】
（５）  前記第２凹部は、前記前壁の略半分の深さに切り欠かれる（４）記載の遊技機。
【００２４】
第２凹部が前壁の略半分以下の深さに切り欠かれると、前壁を越えて行うメダルの収容箱への移し替えが容易でなく、第２凹部が前壁の略半分以上の深さに切り欠かれると、第２凹部からのメダルの脱落が懸念される。
【発明の効果】
【００２５】
本発明による遊技機は、メダル受け皿が、前壁の端縁から底壁に向かって一定の深さと所定幅をもって切り欠かれる第１凹部と、前壁の長手方向にスライドし、第１凹部を開閉するスライド板と、を備えているので、メダルをメダル受け皿から収容箱に容易に移し替えることができる。又、本発明による遊技機は、メダル受け皿の構成を簡易にしている。本発明による遊技機は、メダル受け皿の一方の隅部に第２凹部を設けることにより、構成が更に簡易になる。
【発明を実施するための最良の形態】
【００２６】
以下、図面を参照して本発明を実施するための最良の形態を説明する。
【００２７】
図１は、本発明による遊技機の一実施形態を示す正面図である。図２は、前記実施形態による遊技機の筐体の内部構造を示す斜視概観図であり、フロントドアを開けた状態図である。図３は、前記実施形態による遊技機に備わるメダル受け皿の斜視概観図である。図４は、前記実施形態によるメダル受け皿の分解斜視図である。図５は、別の実施形態による遊技機に備わるメダル受け皿の斜視外観図である。
【００２８】
最初に、本発明による遊技機の構成を説明する。遊技機１０は例えばスロットマシンに適用される。図１及び図２において、本体１１は遊技機１０の外周を覆っている。本体１１は、筐体３１と、筐体３１を開閉するフロントドア３２と、を備えている。筐体３１の内部にリールユニット５０が配置されている。筐体３１の内部は、棚４３で上下に仕切られており、棚４３にリールユニット５０が載置されている。
【００２９】
図２において、棚４３の下方には、投入された遊技メダルを収納、又は遊技メダルをメダル受け皿１７に払い出すホッパー４５や、還元率設定スイッチ４６Ａを含む電源ボックス４６が配置されている。棚４３の上方には、遊技機１０を制御するメイン基板（プリント基板）及びサブ基板（プリント基板）を含む制御盤４７などが配置されている。
【００３０】
図１又は図２において、フロントドア３２に形成される正面パネル４２には、矩形状の表示窓４４が設けられている。表示窓４４は、横並び状の個別の表示窓４４Ｌ・４４Ｃ・４４Ｒに区画されている。リールユニット５０には、各々の外周面に複数種類の図柄が描かれた３個のリール５１Ｌ・５１Ｃ・５１Ｒが回転自在に設けられている。リール５１Ｌ・５１Ｃ・５１Ｒの各々は、表示窓４４を介して観察可能に配置されている。
【００３１】
図２において、リールユニット５０は略箱状のリールカバー５２を備えている。又、リールユニット５０の下部には、フランジ５４が設けられており、筐体３１内部の棚４３にねじなどの締結具によりフランジ５４が固定される。
【００３２】
図１において、正面パネル４２の上方には、クレジット枚数、ＢＥＴ枚数、メダルの排出状況などを表示する遊技状態表示部７０が設けられている。正面パネル４２の下方には、遊技の名称などを表示した下部パネル７２が設けられている。又、表示窓４４の下方右側には、略水平の台座部６０が設けられており、その上面右側には、遊技者が遊技媒体である遊技メダル（以下、メダルと記載する。）を入れるための投入口６１が設けられている。ここで、遊技メダルは、コイン、メダル、又はトークンと称される代用貨幣である。
【００３３】
図１において、台座部６０の上面左側には、押しボタン操作による三つのＢＥＴスイッチ６２・６３・６４が配置されている。ＢＥＴスイッチ６２は、１回の遊技に１枚のメダルを賭けられる。ＢＥＴスイッチ６３は、１回の遊技に２枚のメダルを賭けられる。ＢＥＴスイッチ６４は、１回の遊技に３枚のメダルを賭けられる。台座部６０の前面の左側には、スタートレバー６５が傾動可能に設けられている。スタートレバー６５を遊技者が傾動操作することにより、三つのリール５１Ｌ・５１Ｃ・５１Ｒの回転が一斉に開始される。３つのリール５１Ｌ・５１Ｃ・５１Ｒが回転したときには、リール５１Ｌ・５１Ｃ・５１Ｒの各々の外周面に描かれている複数の図柄が、表示窓４４において変動表示される。
【００３４】
図１において、台座部６０の前面の中央には、３個のリール停止ボタン６６Ｌ・６６Ｃ・６６Ｒが設けられている。リール停止ボタン６６Ｌはリール５１Ｌに対応し、リール停止ボタン６６Ｃはリール５１Ｃに対応し、リール停止ボタン６６Ｒはリール５１Ｒに対応している。リール停止ボタン６６Ｌを遊技者が押動操作したときには、リール５１Ｌが停止し、リール停止ボタン６６Ｃを遊技者が押動操作したときには、リール５１Ｃが停止し、リール停止ボタン６６Ｒを遊技者が押動操作したときには、リール５１Ｒが停止する。
【００３５】
図１において、スタートレバー６５の左側には、払出しボタン６７が設けられている。遊技者が払出しボタン６７を押動操作したときには、投入されているメダルが正面下部の払出口１２から払い出され、払い出されたメダルはメダル受け皿１７に貯められる。
【００３６】
図１において、表示窓４４には、実線で示す横に３本（中央及び上下）及び斜めに２本の入賞ラインが設けられている。ゲーム開始に先立って、遊技者が投入口６１から１枚のメダルを投入したときは中央の入賞ラインだけが有効化され、２枚のメダルを投入したとき、これに上下の入賞ラインが加わり、３枚のメダルを投入したとき、全ての入賞ラインが有効化される。このような入賞ラインの有効化は、各入賞ラインの両端に配置された有効化ライン表示ランプ（図示せず）が点灯することにより、遊技者に表示される。
【００３７】
次に、本発明による遊技機に備わるメダル受け皿の構成を説明する。図１から図３において、メダル受け皿１７は本体１１の下部前面に設けられている。メダル受け皿１７は前壁１３と、左右一対の側壁１４・１５と、底壁１６とを備えている。
【００３８】
図３において、前壁１３はメダルの払出口１２と対向するように設けられる。前壁１３は略中央部が払出口１２に対向した状態で本体１１の幅方向に沿って左右方向に伸び、一側（左側）に設けた灰皿２８の横方向の長さを合わせた長さが本体１１の下部前面の幅寸法よりも幾分小さくなっているか、略同等となっている。従って、メダル受け皿１７は本体１１の左右端部よりも外側に出ることがなく、遊技機を横並び状に配置しても隣接した遊技機間でメダル受け皿１７が相互に干渉することがない。
【００３９】
図３において、前壁１３はその両翼が本体１１に向かって屈曲することにより一対の側壁１４・１５が形成される。一対の側壁１４・１５は前壁１３の両翼に略直交するように設けられている。ここで、左側の側壁１５には、灰皿取付部２７が一体的に形成されており、灰皿２８が灰皿取付部２７に落とし込まれることによりメダル受け皿１７に着脱される。一対の側壁１４・１５は前壁１３よりも厚肉となるように形成されており、メダル受け皿１７の強度を補強している。側壁１４・１５は前壁１３と同等程度の肉厚でもよい。
【００４０】
図３において、前壁１３及び一対の側壁１４・１５に囲まれる底壁１６が形成されている。底壁１６は前壁１３及び一対の側壁１４・１５を結合するように形成されている。そして、底壁１６、前壁１３及び一対の側壁１４・１５によって囲まれることにより、上面が開放された箱形の空間が形成され、メダル受け皿１７は払出口１２から払い出されるメダルをこの空間に貯えることができる。
【００４１】
図３及び図４において、メダル受け皿１７の前壁１３には、第１凹部１８及びスライド板１９が設けられる。第１凹部１８は前壁１３の上部の端縁を底壁１６の方向に切り欠くことにより矩形状となって形成される。従って、第１凹部１８は一定の深さ及び所定幅を有している。第１凹部１８はメダル受け皿１７に貯まったメダルを収容箱３０に移し替える際に、メダルの移し替え口として機能する。
【００４２】
図３及び図４において、第１凹部１８はメダル受け皿１７の前壁１３の略中央部を切り欠いて形成することが好ましい。第１凹部１８を略中央部に形成することにより、メダルを手で収容箱３０に移し替える際の作業が円滑になり、メダルが床へ散乱することを防止できる。なお。第１凹部１８は前壁１３の略中央部に限定されることなく、略中央部から左右いずれか一方に僅かにずれた位置に形成してもよい。又、第１凹部１８の角部分は、丸く面取りされることが好ましい。メダルを移し替えるときに、手との接触に違和感を与えないためである。
【００４３】
図３及び図４において、メダル受け皿１７の前壁１３に対してスライド板１９がスライド可能に設けられている。スライド板１９は第１凹部１８の幅よりも長い寸法の板材からなり、第１凹部１８に対応してスライドするように前壁１３の内面（払出口との対向面）に取り付けられる。スライド板１９は、一方の方向にスライドしたときに第１凹部１８が閉じられ、他方の方向にスライドしたときに第１凹部１８が開かれる長さとなるように形成される。スライド板１９の厚さは、払出口１２から払い出されてメダル受け皿１７に貯まったメダルの圧力によって変形しないような強度を有するように設定される。
【００４４】
図４において、スライド板１９の取り付け構造の一例を説明する。メダル受け皿１７の前壁１３には、ガイド穴２１が形成されており、ガイド穴２１を貫通するスライドボタン２０がスライド板１９に連結される。ガイド穴２１は前壁１３における第１凹部１８を跨いだいずれか一方の側（右側）に形成されており、横（水平）方向に伸びた長穴となっている。ガイド穴２１の長さは、スライド板１９の往復スライドによってスライド板１９が第１凹部１８を開閉作動するように設定されている。
【００４５】
スライドボタン２０は小径部２０Ａ及び大径部２０Ｂを有した段付き形状となっており、小径部２０Ａがガイド穴２１を貫通してスライド板１９に挿入されることによりスライドボタン２０とスライド板１９とが連結される。スライドボタン２０とスライド板１９とを連結するため、スライド板１９の長さ方向の一側の端部には、スライドボタン２０の小径部２０Ａが挿入される挿入穴１９Ａが貫通している。挿入穴１９Ａを貫通した小径部２０Ａに対し、前壁１３との反対側から皿ねじなどの締結具２２を締結することによりスライドボタン２０とスライド板１９とが結合される。この結合状態において、スライドボタン２０の大径部２０Ｂはメダル受け皿１７の前壁１３の前面に露出しており、スライド板１９をスライドさせる際の操作部分となる。従って、スライドボタン２０の大径部２０Ｂを手で横方向に移動操作することにより、スライド板１９を往復方向にスライドさせることができる。
【００４６】
図３において、収容箱３０は上面が開放された横長の箱形状に成形されており、運搬などの取り扱い性の点からその全体が合成樹脂により形成されている。収容箱３０は、横長の開口幅を有したメダルの収容凹部３０Ａと、収容凹部３０Ａの両翼上部から左右方向に伸びる一対の把持片３０Ｂ・３０Ｂと、を備えている。把持片３０Ｂには、手を掛けるための穴部３０Ｃが形成されている。このような収容箱３０は遊技機間での汎用のものであり、特定の遊技機に専用に用いられるものではない。
【００４７】
図３において、メダル受け皿１７に形成された第１凹部１８は、収容箱３０の収容凹部３０Ａの開口幅よりも狭い幅で切り欠かれている。このため、第１凹部１８を収容凹部３０Ａの開口幅の内方に位置させることができ、第１凹部１８を介したメダルの移し替えの際に、メダルを収容凹部３０Ａ内に確実に移し替えることができる。
【００４８】
次に、メダル受け皿１７に貯まったメダルを収容箱３０に収容する操作を説明する。図３において、スライド板１９が２点鎖線で示す位置にあるとき、すなわちスライドボタン２０を介してスライド板１９を左方向に移動させたときは、スライド板１９が第１凹部１８を閉じた状態となっている。第１凹部１８を閉じた状態では、払出口１２から払い出されるメダルをメダル受け皿１７が受け入れて所定量を貯めることができる。
【００４９】
図３において、スライドボタン２０を右方向に移動させると、スライド板１９は実線で示す位置となり、第１凹部１８との対応位置から退避する。従って、第１凹部１８が開放された状態となり、第１凹部１８を通過させてメダルを収容箱３０に移し替えることができる。すなわち、第１凹部１８が現出することにより、第１凹部１８を通じてメダルの移し替えができ、前壁１３を乗り越えて移し替える必要がなくなり、メダルが床に散乱することを防止できる。
【００５０】
本発明による遊技機では、メダルの移し替え作業を確実に行うことができるメダル受け皿を提供している。又、本発明による遊技機では、メダル受け皿１７が第１凹部１８及びスライド板１９からなることから構成が簡易であり、遊技機によって収容箱３０の形状を特定する必要のないメダル受け皿１７を提供している。
【００５１】
次に、本発明による遊技機の別の実施形態を説明する。
【００５２】
図５において、本体１１の払出口１２と対向する前壁１３と、前壁１３の両翼で略直交する一対の側壁１４・１５と、前壁１３及び一対の側壁１４・１５で囲われる底壁１６とによってメダル受け皿１７が構成されている。
【００５３】
図５において、一方の側壁（右側壁）１４と前壁１３の片翼（右翼）とは、略直交しており、この直交部分が隅部２４となっている。そして、隅部２４における上部の端縁２４Ａから底壁１６に向かって段差状に低くなる第２凹部２５が形成されている。第２凹部２５は一方の側壁１４と、側壁１４に対応した前壁１３の片翼とに跨って、これらを一定の深さ及び所定幅で切り欠くことにより形成される。すなわち、第２凹部２５はメダル受け皿１７における一方（右側）の角部分を切り欠くことによって形成されるものである。第２凹部２５が角部分に形成されることにより、メダル受け皿１７の略中央部に対向している払出口１２からのメダルは前壁１３から跳び出ることがなく、メダル受け皿１７内に確実に貯めることができる。なお、第２凹部２５は左側壁１５と、これに対応した前壁１３の片翼に形成してもよい。
【００５４】
第２凹部２５の切り欠き深さとしては、前壁１３の略半分の深さがよい。第２凹部２５が前壁１３の略半分以下の深さに切り欠かれると、前壁１３を乗り越えて行うメダルの収容箱３０への移し替えが容易ではなくなる。又、第２凹部２５が前壁１３の略半分以下の深さに切り欠かれると、第２凹部２５からメダルが落下し易くなる。第２凹部２５の切り欠き幅としては、メダルの径よりも十分に大きいことが好ましい。
【００５５】
図５において、メダル受け皿１７内にメダルが貯まったとき、第２凹部２５を超えてメダルを手で収容箱３０に移し替える。この移し替えでは、第２凹部２５が切り欠かれているため、前壁１３を超えるような移し替え作業は必要なく、メダルが床に散乱することなく収容箱３０への移し替えを行うことができる。又、メダル受け皿１７に第２凹部２５を形成する簡易な構成であるため、収容箱３０の形状を特定する必要がない。
【図面の簡単な説明】
【００５６】
【図１】本発明による遊技機の一実施形態を示す正面図である。
【図２】前記実施形態による遊技機の筐体の内部構造を示す斜視概観図であり、フロントドアを開けた状態図である。
【図３】前記実施形態による遊技機に備わるメダル受け皿の斜視概観図である。
【図４】前記実施形態によるメダル受け皿の分解斜視図である。
【図５】本発明による別の実施形態による遊技機に備わるメダル受け皿の斜視外観図である。
【符号の説明】
【００５７】
１０  遊技機
１１  本体
１２  払出口
１３  前壁
１４・１５  側壁
１６  底壁
１７  メダル受け皿
１８  第１凹部
１９  スライド板
２５  第２凹部
３０  収容箱
【図１】
2008079928.tif 000003
【図２】
2008079928.tif 000004
【図３】
2008079928.tif 000005
【図４】
2008079928.tif 000006
【図５】
2008079928.tif 000007